(57)【要約】  ボウルは、Ｕ形状断面を有する外側本体を含むように構成でき、外側本体は、ボウルを面上に支持するように構成された底部を有することができ、底部はまた底部の周囲まわりの円形溝と円形溝の内部のブラケットとを含み、足は、溝の内部に挿入され、足は、ブラケットによって円形溝に固定される。ボウルは、内側本体を含むことができ、内側本体は、凹状のドーム形状である。内側本体は、液体又は固体を保持でき、内側本体は、外側本体の上側縁部に連結される。内部空洞は、外側本体及び内側本体によって形成され、内部空洞は、絶縁性である。外側本体の上側縁部と内側本体によって形成される連結部は、シームレスにできる。
2022500065.tif 000002
【特許請求の範囲】
【請求項１】
ボウルであって、該ボウルが、
ボウルの外側本体であって、前記外側本体がＵ形状断面を有し、前記外側本体が前記ボウルを面上に支持するように構成された底部を有し、前記底部が前記底部の周囲まわりの円形溝と前記円形溝の内部のブラケットとを有し、足が前記溝の内部に挿入され、前記足が前記ブラケットによって前記円形溝に固定される、前記外側本体と、
前記ボウルの内側本体であって、前記内側本体が凹状のドーム形状であり、前記内側本体が液体又は固体を保持するように構成され、前記内側本体が前記外側本体の上側縁部に連結される、前記内側本体と、
内部空洞であって、前記内部空洞が前記外側本体と前記内側本体によって形成され、前記内部空洞が絶縁性である、前記内部空洞と
を備えるボウル。
【請求項２】
前記外側本体の前記上側縁部と前記内側本体のリップとによって形成される連結部が、シームレスである、請求項１に記載のボウル。
【請求項３】
前記外側本体の前記上側縁部は、前記内側本体の前記リップに溶接される、請求項２に記載のボウル。
【請求項４】
前記外側本体は、ステンレス鋼、アルミニウム、アルミニウム合金、チタン、チタン合金、又はポリマーであり、前記内側本体は、ステンレス鋼、アルミニウム、アルミニウム合金、チタン、チタン合金、又はポリマーである、請求項１に記載のボウル。
【請求項５】
前記外側本体又は前記内側本体は、消音材料を更に含む、請求項１に記載のボウル。
【請求項６】
前記足は、ゴム又は他のポリマーを含む、請求項１に記載のボウル。
【請求項７】
前記ボウルは、別のボウルと積み重ね可能になっている、請求項１に記載のボウル。
【請求項８】
粉体塗装を更に含む、請求項１に記載のボウル。
【請求項９】
前記内部空洞は、絶縁材料を更に含む、請求項１に記載のボウル。
【請求項１０】
前記外側本体は、第１の厚さを有し、前記内側本体は、第２の厚さを有し、前記第１の厚さは、前記第２の厚さよりも大きい、請求項１に記載のボウル。
【請求項１１】
前記ボウルの高さに対する前記ボウルの直径の比は、約２．２２対１である、請求項１に記載のボウル。
【請求項１２】
前記ブラケットは、前記円形溝に溶接される、請求項１に記載のボウル。
【請求項１３】
ボウルであって、該ボウルが、
ボウルの外側本体であって、前記外側本体がＵ形状断面を有し、前記外側本体が前記ボウルを面上に支持するように構成された底部を有し、前記底部が、
前記底部の周囲に沿って延びる円形溝、
前記円形溝の内部に置かれたブラケット、及び
ゴム製の足であって、前記足が前記溝の内部に挿入され、前記足が前記ブラケットによって前記円形溝に固定され、前記ブラケットが前記ボウルの前記底部に溶接される、前記ゴム足を備える、前記外側本体と、
前記ボウルの内側本体であって、
前記内側本体が凹状のドーム形状であり、
前記内側本体が液体又は固体を保持するように構成され、
前記内側本体がリップを更に含み、
前記内側本体リップが前記外側本体の上側縁部に溶接され、
前記外側本体の前記上側縁部と前記内側本体のリップとの間に形成される連結部がシームレスである、前記内側本体と、
内部空洞であって、
前記内部空洞が前記外側本体と内側本体によって形成され、
前記内部空洞が絶縁性であり、
前記ボウルの高さに対する前記ボウルの直径の比が約２．２２対１であり、
前記外側本体がステンレス鋼であり、
前記内側本体がステンレス鋼である、前記内部空洞と
を備えるボウル。
【請求項１４】
ボウルを形成する方法であって、
ボウルの外側本体を形成する段階であって、前記外側本体がＵ形状断面を有し、前記外側本体が前記ボウルを面上に支持するように構成された底部を有し、前記底部が前記底部の周囲まわりの円形溝と前記円形溝の内部のブラケットとを備え、足が前記溝の内部に挿入され、前記足が前記ブラケットによって前記円形溝に固定される、前記外側本体を形成する段階と、
前記ボウルの内側本体を形成する段階であって、前記内側本体が凹状のドーム形状であり、前記内側本体が液体又は固体を保持するように構成され、前記内側本体が前記外側本体の上側縁部に連結される、前記内側本体を形成する段階と、
内部空洞を形成することであって、前記内部空洞が前記外側本体と前記内側本体によって形成され、前記内部空洞が絶縁性である、前記内部空洞を形成する段階と
を含むボウルを形成する方法。
【請求項１５】
前記内側本体はリップを更に含み、前記内側本体のリップは、前記外側本体の上側縁部に溶接され、シームレス連結部が、前記外側本体の前記上側縁部と前記内側本体のリップとの間に形成される、請求項１４に記載の方法。
【請求項１６】
前記外側本体は、ステンレス鋼、アルミニウム、アルミニウム合金、チタン、チタン合金、又はポリマーであり、前記内側本体は、ステンレス鋼、アルミニウム、アルミニウム合金、チタン、チタン合金、又はポリマーである、請求項１４に記載の方法。
【請求項１７】
前記外側本体は、第１の厚さを有し、前記内側本体は、第２の厚さを有し、前記第１の厚さは、前記第２の厚さよりも大きい、請求項１４に記載の方法。
【請求項１８】
前記ボウルの高さに対する前記ボウルの直径の比は、約２．２２対１である、請求項１４に記載の方法。
【請求項１９】
前記足は、ゴム又は他のポリマーを含む、請求項１４に記載の方法。
【請求項２０】
前記ブラケットは、前記円形溝に溶接される、請求項１４に記載の方法。
【発明の詳細な説明】
【技術分野】
【０００１】
本開示は、広く言えばボウルに関し、より詳細には、犬などの動物に食物や水を与えるために使用される犬用ボウルに係るものである関する。
【背景技術】
【０００２】
ボウルは、液体体積や食物の塊を溜めるように構成されることがある。
【０００３】
犬や動物用のボウルは、硬質又は軟質の食物或いはウェット又はドライのペットフード、並びに、人の食用に通常適した種々のタイプの食物、例えば、生又は調理済みの果物や野菜、生又は調理済みの肉及び鳥肉又は魚等々を含め、水などの高温又は低温の飲用／飲料用の液体や種々のタイプのペットフードで満たされる場合がある。
【発明の概要】
【課題を解決するための手段】
【０００４】
この概要は、下の「詳細な説明」で更に説明される選り抜きの概念を簡略化した形式で紹介するために提供される。要約が意図していないことは、請求された主題の重要な特徴や必須の特徴を識別することであり、また、請求された主題の範囲を限定するために使用されることを意図していない。
【０００５】
特定の具体例では、ボウルは、液体体積又は食物の塊を保持するように構成できる。ボウルは、外側本体を含むことができ、外側本体は、Ｕ形状断面を有する。外側本体は、ボウルを面上に支持するように構成された底部も有する。底部は、底部の周囲まわりの円形溝と円形溝の内部のブラケットとを含むこともできる。滑り止め付き足は、溝の内部に挿入でき、足は、ブラケットによって円形溝に固定できる。ボウルは、内側本体を含むこともでき、内側本体は、凹状及びドーム状である。内側本体は、液体又は固体を保持するように構成でき、内側本体は、外側本体の上側縁部に連結できる。内部空洞は、外側本体及び内側本体によって形成され、内部空洞は、絶縁性にできる。
【０００６】
他の具体例では、ボウルは、Ｕ形状断面を有する外側本体を含むことができ、外側本体は、ボウルを面上に支持するように構成された底部を含むことができる。底部は、円形溝であって円形溝が底部の周囲に沿って延びる円形溝と、円形溝の内部のブラケットと、ゴム足であって足が溝の内部に挿入されるゴム足とを含むことができる。足は、ブラケットによって円形溝に固定できる。ブラケットは、ボウルの底部に溶接できる。ボウルは、凹状及びドーム状である内側本体を含むこともでき、内側本体は、液体又は固体を保持するように構成できる。内側本体は、リップを含むこともでき、内側本体リップは、外側本体の上側縁部に溶接される。外側本体の上側縁部と内側本体リップとの間に形成された結果としての連結部は、シームレス、即ち、見えなくできる。ボウルは、外側本体及び内側本体によって形成された内部空洞を含むこともでき、内部空洞は、絶縁性にできる。他の具体例では、ボウルの高さに対するボウルの直径の比は、約２．２２対１である。更に他の具体例では、外側本体は、ステンレス鋼で作製され、内側本体は、ステンレス鋼で作製される。
【０００７】
別の具体例では、ボウルを形成する方法は、ボウルの外側本体を形成することによって開示され、外側本体は、Ｕ形状断面を有し、外側本体は、ボウルを面上に支持するように構成された底部を含む。ボウルは、外側本体の底部の周囲まわりの円形溝を含む底部を含むように形成することもでき、円形溝の内部のブラケットを含むこともできる。ゴム又はポリマーの足は、溝の内部に挿入でき、足は、ブラケットによって円形溝に固定できる。ボウルを形成する方法は、ボウルの内側本体を形成することを含むこともでき、内側本体は、凹状でドーム形状である。内側本体は、液体又は固体を保持するように構成できる。内側本体は、絶縁性である内部空洞を形成するために、外側本体の上側縁部に連結することもできる。ボウルは、約２．２２対１であるボウルの高さに対するボウルの直径の比を有するように形成できる。外側本体は、ステンレス鋼で形成でき、内側本体は、ステンレス鋼で形成できる。
【０００８】
本開示は、一例として例証されており、添付図面に限定されず、同様の参照番号は、同様の要素を指す。
【図面の簡単な説明】
【０００９】
【図１】本明細書で説明された１つ又は複数の態様に係る、ボウル具体例の等角図である。
【図２】本明細書で説明された１つ又は複数の態様に係る、図１のボウルの側面図である。
【図３】本明細書で説明された１つ又は複数の態様に係る、図１のボウルの上面図である。
【図４】本明細書で説明された１つ又は複数の態様に係る、図１のボウルの底面図である。
【図５】本明細書で説明された１つ又は複数の態様に係る、図２のボウルの断面図である。
【図６】本明細書で説明された１つ又は複数の態様に係る、図２のボウルの部分拡大断面図である。
【図７】本明細書で説明された１つ又は複数の態様に係る、図１のボウルの断面図である。
【図８】本明細書で説明された１つ又は複数の態様に係る、別のボウル具体例の等角図である。
【図９】本明細書で説明された１つ又は複数の態様に係る、図８のボウルの等角底面図である。
【図１０】本明細書で説明された１つ又は複数の態様に係る、図８のボウルの側面部分断面図である。
【図１１】本明細書で説明された１つ又は複数の態様に係る、図１０のボウルの部分拡大断面図である。
【図１２】本明細書で説明された１つ又は複数の態様に係る、図１のボウルの部分断面図の別の具体例の図である。
【図１３】本明細書で説明された１つ又は複数の態様に係る、図１のボウルの部分断面図の別の具体例の図である。
【発明を実施するための形態】
【００１０】
更に、図面が様々な具体例の異なった構成要素のスケールを表すことができ、しかしながら、開示された具体例がその特定のスケールに限定されないということを理解されたい。
【００１１】
様々な具体例の以下の説明において、参照は、本明細書の一部を形成する添付図面に対して行われ、そこには、例証として、本開示の態様が実施できる様々な具体例が示されている。他の具体例が利用でき、本開示の範囲及び精神から逸脱せずに構造的及び機能的な変更を行うことができるということを理解されたい。
【００１２】
本開示の態様は、食物の塊や液体体積を溜めるように構成されたボウル又は犬用ボウルに関する。図１は、ボウル１００の等角図を示す。１つの具体例では、ボウル１００は、液体体積を溜めるように構成できる。別の具体例では、ボウル１００は、食物の塊を溜めるように構成される。ボウル１００は、一般に固体や液体を溜める又は包含するために上部に凹状リザーバ１０１を含む。ボウル１００は、一般に比較的平らな底部１０２を含む。ボウル１００は、全部又は一部が単一又は２重の壁で形成できる。ボウル１００は、ボウルの内部の食物や液体の温度を維持するのに役立つために、絶縁特性を提供するように、真空成形した構成にもできる。ボウル１０１は、絶縁特性も提供する他の方法によって全部又は一部を形成することもできる。
【００１３】
図２に示されるように、ボウル１００は、底部１０２の周囲まわりに延びる足１０３を備えた底部１０２を含む。滑り止め付き足１０２は、ゴムや他のポリマーにでき、犬や他の動物が食物を食べたり水を飲んだりするときなど、ボウル１００が動くのを防止する摩擦の増加した面を提供する。１つの態様では、足場は、ボウル１００が水中に沈みこむのを防止するのに十分な浮力を提供する材料にすることもできる、即ち、ボウルは浮くことができる。別の態様では、ボウル１００は、図２に「Ｄ」で注釈付けされた直径、及び、図２に「Ｈ」で注釈付けされた高さの双方を含む。ボウル１００は、直径に対する高さの比に応じてサイズ決めできる。１つの具体例では、高さと直径の比は、約９１．４４ｍｍ（３．６インチ）の高さと約２０３．２ｍｍ（８インチ）の直径に対して、２．２２対１にすることができる。他の態様では、直径に対する高さの比は、２．００〜３．００対１にすることができる。更に他の態様では、直径に対する高さの比は、２．１５、２．１６、２．１７、２．１８、２．１９、２．２０、２．２１、２．２２、２．２５、２．２６、２．２７、２．２８、２．２９、２．３０、２．３１、２．３２、２．３３、２．３４、２．３５、２．３６、２．３８、２．３９、２．４０、２．４１、２．４２、２．４３、２．４４、２．４５、２．４６、２．４７、２．４８、２．４９、２．５０対１にすることができる。１つの具体例では、ボウル１０１は、少なくとも８８．９ｍｍ（３．５インチ）の高さと少なくとも２０３．２ｍｍ（８．０インチ）の直径を有する。底部部分１０２は、凹設されたロゴを含むこともできる。ロゴは、底部部分１０２の中にスタンピング又はエッチングできる。
【００１４】
図３及び図４は、それぞれボウル１００の上面図と底面図を示す。ボウルは、上側リム１０４及びとリザーバ１０１を含む。リザーバ１０１は、概ね凹状又はドーム形状である。しかしながら、他の適切な形状が、円錐形、円錐台形状など、リザーバ用に企図される。他の具体例では、リザーバ１０１は、犬への給餌を遅くするような形状にできる。更に他の具体例では、リザーバは、犬への給餌を遅くするためのデバイスを収容できる。幾つかの具体例では、内部リザーバ１０１は、食物や水の少なくとも８個の標準カップを保持する能力を有する。他の具体例では、ボウル１００及び内部リザーバ１０１は、食物や水の少なくとも１、２、３、４、５、６、又は７個の標準カップを保持するように構成できる。図４に示されるように、足１０３は、ボウルの底部１０２の周囲まわりに延びる円形溝に位置される。足１０３は、足１０３がボウルの底部１０２と面一であるように、溝の内部に位置できる。別の具体例では、足１０３は、ボウルの底部１０２を越えて突出又は延びる。換言すると、足１０３は、ボウルの底部１０２と面一ではない。更に他の具体例では、足は、少なくとも６．３５ｍｍ（０．２５インチ）、１２．７ｍｍ（０．５０インチ）、１９．０５ｍｍ（０．７５インチ）、２０．３２ｍｍ（０．８０インチ）、２１．５９ｍｍ（０．８５インチ）、２２．８６ｍｍ（０．９０インチ）、２４．１３ｍｍ（０．９５インチ）、２５．４ｍｍ（１．００インチ）、又は、３１．７５ｍｍ（１．２５インチ）の幅を有する。更に他の具体例では、足は、少なくとも１．２７ｍｍ（０．０５インチ）、２．５４ｍｍ（０．１０インチ）、３．８１ｍｍ（０．１５インチ）、５．０８ｍｍ（０．２０インチ）、６．３５ｍｍ（０．２５インチ）、７．６２ｍｍ（０．３０インチ）、８．８９ｍｍ（０．３５インチ）、１０．１６ｍｍ（０．４０インチ）、１１．４３ｍｍ（０．４５インチ）、又は、１２．７ｍｍ（０．５０インチ）の厚さを有する。特定の具体例では、足は、少なくとも１２７ｍｍ（５．０インチ）、１３９．７ｍｍ（５．５インチ）、１５２．４ｍｍ（６．０インチ）、１６５．１ｍｍ（６．５インチ）、１７７．８ｍｍ（７．０インチ）、１９０．５ｍｍ（７．５インチ）、２０３．２ｍｍ（８．０インチ）、２１５．９ｍｍ（８．５インチ）、２２８．６ｍｍ（９．０インチ）、２４１．３ｍｍ（９．５インチ）、又は、２５４ｍｍ（１０．０インチ）の外径を有する。更に他の具体例では、足は、少なくとも７６．２ｍｍ（３．０インチ）、８８．９ｍｍ（３．５インチ）、１０１．６ｍｍ（４．０インチ）、１１４．３ｍｍ（４．５インチ）、１２７ｍｍ（５．０インチ）、１３９．７ｍｍ（５．５インチ）、１５２．４ｍｍ（６．０インチ）、１６５．１ｍｍ（６．５インチ）、１７７．８ｍｍ（７．０インチ）、１９０．５ｍｍ（７．５インチ）、２０３．２ｍｍ（８．０インチ）、２１５．９ｍｍ（８．５インチ）、２２８．６ｍｍ（９．０インチ）、２４１．３ｍｍ（９．５インチ）、又は、２５４ｍｍ（１０．０インチ）の内径を有する。特定の具体例では、足１０３は、高デュロメータゴムである。幾つかの具体例では、足１０３は、取り外し可能である。下で更に詳細に議論されたように、他の具体例では、足１０３は、ボウルの底部１０２に恒久的に固定される。
【００１５】
図５に示されるように、ボウル１００の断面図は、描かれている。足１０３は、足１０３ａの断面図と共に描かれている。ボウルの外側本体１０７は、描かれている。１つの具体例では、図５に示されるように、外側本体５は、Ｕ形状断面を含むことができ、底部１０２は、ボウルを面上に支持するように構成される。別の具体例では、足１０３は、底部１０２の周囲まわりに延びる溝１０３ｂに凹設される。幾つかの具体例では、溝１０３ｂは、先に説明されたように、足１０３の幅に対応する幅及び厚さを含む。他の具体例では、溝１０３ｂは、足１０３の幅に適応する幅と、足１０３全体が溝１０３ｂの中に凹設されるのをどのみち可能にする厚さとを含み、したがって、ボウル１０２の底部と面一になるように、そうでなければ溝１０３ｂは、足１０３の厚さよりも小さい厚さを含み、足がボウル１０２の底部から突出するのを可能にする。図５は、内側本体１０５も描いている。１つの具体例では、内側本体１０５もＵ形状である。別の具体例では、内側本体１０５は、凹状及び／又はドーム形状であり、液体や固体を保持するように構成される。
【００１６】
別の具体例では、図５に示されるように、内側本体１０５は、凹状ボウルリザーバ１０１から離れて延びるか又は曲がっているリップ１０６を含む。別の具体例では、リップ１０６は、ボウルが置かれる面に垂直な外側本体の側に垂直な内側本体の側に垂直である。図５〜７に示されるように、ボウル１００は、内側本体１０５を外側本体１０７と連結することによって形成される。幾つかの具体例では、ボウルの形状は、貯蔵や搬送を容易にするために、ボウルの積み重ねを可能にする。特定の具体例では、内部空洞１０９は、内側本体１０５及び外側本体１０７によって形成され、別の具体例では、内部空洞１０９は、要素に露出している外側本体１０７と、リザーバ１０１、したがってボウル１００の食品や水を含む内側本体１０５と、の間の防壁であるので、当然に絶縁される。換言すると、内部空洞１０９は、外側本体１０７からリザーバ１０１への放射熱伝達を防止する。１つの具体例では、内側本体１０５は、外側本体１０７の内側に置かれる。内側本体１０５のリップ１０６は、外側本体１０７の上部縁部とのシーム１０８を形成する。シーム１０８は、内側本体を外側本体に連結するために溶接できる。溶接は、レーザ溶接、ろう付け工程、ＴＩＧ（ガスタングステンアーク）溶接、ＭＩＧ（金属不活性ガス）溶接、アーク溶接、又は銀はんだ付けなどの任意の適切な溶接方法を含むことができる。他の具体例では、接着剤は、内側本体を外側本体に連結するために使用される。他の具体例では、外側本体は、ステンレス鋼、アルミニウム、アルミニウム合金、チタン、チタン合金、又はポリマーである。更に他の具体例では、内側本体は、ステンレス鋼、アルミニウム、アルミニウム合金、チタン、チタン合金、又はポリマーにできる。他の具体例では、内側本体及び外側本体は、セラミック、炭素繊維、又はプラスチックにできる。しかしながら、他の適切な材料が、本明細書で議論されているように企図される。溶接又はシーム１０８は、シームレスにできる。例えば、溶接又はシーム１０８は、機械式摩滅（研削ホイール、研磨ホイール等々）、化学研磨、又は、電気化学研磨によって研磨できる。このようにして、内側本体１０５及び外側本体１０７によって形成される連結部、即ち、シーム１０８は、末端使用者にとって視覚的に明らかではない。特定の場合には、レーザ溶接工程は、より清潔な外観を最終製品に与えるために、より気が付きにくい溶接線又はシーム１０８を提供するのに役立つことができる。具体的には、溶接線は、より小さく、また、より少ない研磨は、溶接線やシーム１０８を使用者に隠すことが必要とされる。更に他の具体例では、内側本体１０５は、例えば、接着剤を含む化学結合剤を使用すること、ねじ、リベット又は締まり嵌め具を含む機械式締結具を使用すること、及び／又は、低融点ポリマーなどの別個の結合剤有り又は無しの熱結合（例えば、溶融による）を使用すること、を含む適切な任意の手段によって、外側本体１０７に締結できる。
【００１７】
別の具体例では、樹脂は、内側本体１０５（及び／又はリップ１０６）を、外側本体１０７とシールでき、及び／又は、内部空洞１０９に真空を形成するためにシールできる。再び、内側本体１０５又はリップ１０６が外側本体１０７に固定された後に、連結部又はシーム１０８は、連結部、溶接、又はシーム１０８が使用者にとって容易に明らかでも直ぐ気が付くわけでもないように、研磨できる。
【００１８】
上の具体例と同様、外側本体１０７又は内側本体１０５は、本明細書で議論される真空成形工程中に使用されるディボット又はディンプル構造（図示せず）を含むことができる。１つの具体例では、ディボット又はディンプルは、ドーム形状に類似できる。しかしながら、他の適切な形状が、製造工程中に樹脂材料を受容するために企図される。他の具体例に従って、ボウルは、ボウル１００の内部での伝導、対流及び／又は放射による熱伝達を減少させるために、図５〜７に示された内部空洞１０９などの１つ又は複数の真空チャンバを備えて構成できる。ボウルの外側本体及び内側本体間の真空を達成するために、ボウルの内部の空気は、真空内部のボウルを加熱することと、外側本体１０７及び／又は内側本体１０５のディボットやディンプル（図示せず）の開口を通して外側本体１０７及び内側本体１０５間の空気を除去することと、によって除去できる。ディボット又はディンプルは、ボウルの内部空洞への導管を提供する。具体的には、ボウル１００は、真空成形チャンバの内部で逆向きに配向でき、樹脂は、ピルの形状にすることができて、真空成形工程中にボウルの底部のディボット又はディンプルの中に置くことができる。特定の具体例では、樹脂は、直径を略３ｍｍから５ｍｍにでき、ディボット又はディンプルの開口は、サイズを略１ｍｍにできる。このようにして、ボウル１００が加熱されると、樹脂は、開口を通ってボウルの内部空洞の中に流動又は滴下しないように、粘性になるが、空気が内部チャンバ１０９又はボウルの他の内部体積から逃げるように、空気を透過可能である。いったん樹脂が冷えて固まると、ディボット又はディンプルの開口をカバーして、ボウル１００の内部の真空を形成するためにボウル１００の内部空洞１０９又は他の内部体積をシールする。任意の適切な樹脂が、企図される。特定の具体例では、樹脂材料は、エポキシ樹脂など、合成にすることができ、或いは、植物ベースにすることができる。更に他の具体例では、真空化の後に、ディンプル又はディボットは、ディンプル又はディボットが使用者にとって容易に明らかでも直ぐ気が付くわけでもないように、研磨できる。更に他の具体例では、ディンプル又はディボットは、キャップによってカバーでき、また、キャップ及びディンプル若しくはディボットが使用者にとって容易に明らかでも直ぐ気が付くわけでもないように、上で説明されたと同じ様態で、研磨できる。
【００１９】
加えて、様々な他の技術は、ディンプルをカバー又はシールするために使用でき、樹脂を塗装すること、ディンプルを粉体塗装すること、金属又は紙を開口の上に接着すること、開口をカバーするためにゴム又はプラスチック片を付加すること、又は、ゴム又はプラスチック片を底部に含めること、を含むことができる。更に他の具体例では、ディンプル又はディボットは、ディスク又は端部キャップ（図示せず）のどちらかでカバー又はシールできる。ディスクをボウル１００の底部に溶接すること、又は、端部キャップを外側本体１０７の底部に溶接することは、ボウル１００の構造的一体性を損なわずに、繰り返して使用及び洗浄できるより恒久的な構造を提供する。ディボットをディスクでカバーすることは、よりコンパクトなボウルをもたらすことができ、その理由は端部キャップがボウルの高さ全体を追加するからであろう。これは、必要とされる材料が少ないという理由で、ボウルを製造するときのコストを削減するのに役立つことができる。追加的に、ボウルは、より小さなボウル容積及び長さの範囲内でより多くの液体を溜めることができるであろう。代替的に、ボウル１００は、本明細書で説明されるように、真空化工程を容易にするために、内側本体１０５（図示せず）にディンプル又はディボットを備えて構成できる。
【００２０】
ボウル１００を絶縁する追加の代替方法も企図される。例えば、内部空洞１０９は、発泡体などの低い熱伝導率を呈する種々の絶縁材料で充填できる。そういうことで、内部空洞１０９は、特定の具体例では、エアポケットを絶縁用に形成するために、空気で充填してもよく、或いは、ポリマー材料又はポリマー発泡材料などの材料の塊で充填してもよい。１つの特有の具体例では、内部空洞１０９は、ポリスチレンで充填できる。しかしながら、追加又は代替の絶縁材料は、内部空洞１０９を充填するために利用でき、これらの開示の範囲から逸脱しない。特定の具体例では、内部空洞１０９は、ディンプル、ディボット、又は他の導管を介して内部空洞１０９に材料を注入することによって、絶縁材料で充填される。他の具体例では、絶縁材料は、内側本体１０５を外側本体１０７と連結する前に、内部空洞１０９に追加される。他の具体例では、内部空洞１０９は、追加の絶縁材料で部分的又は全体的に充填されるように構成できる。例えば、内部空洞１０９は、多くの他のものの中でも、ポリスチレン発泡体、ポリ塩化ビニル発泡体、又はポリイミド発泡体などの代替のポリマー発泡体で少なくとも部分的に充填されるように又はされ得るように構成できる。
【００２１】
別の具体例では、ポリマー又はポリマー・ブレンドは、内側本体１０５の内面に付着し、内側本体１０５を絶縁し、第１の熱抵抗率を有することができ、また、外側本体１０７の内部に付着し、外側本体１０７を絶縁する絶縁材料は、第２の熱抵抗率を有することができ、それは内側本体１０５のポリマー又はポリマー・ブレンド絶縁物、第１の熱的感度よりも高い。別の具体例では、第１の熱的感度と第２の熱的感度は、同じである。更に別の具体例では、第１の熱的感度は、第２の熱的感度よりも高い。更なる別の実例では、１つ又は複数の中空部分３５１及び／又は１つ又は複数の空洞２１４は、中空部分及び／又は空洞の１つ又は複数の成形ポリマー面に付着する第２の絶縁材料で少なくとも部分的に充填されるように又はされ得るように構成できる。第２の絶縁材料は、絶縁材料をこれらの成形ポリマー面に付着することもでき、或いは、絶縁材料をそれ自体に付着できる（即ち、絶縁材料のための結合剤として作用する）。例えば、結合剤でもある第２の絶縁材料に加えてポリマー・フレークやペレットの混合物は、１つ又は複数の中空部分３５１、１つ又は複数の空洞２１４、或いは、それらの任意の組合せの中に注入できる。
【００２２】
更に他の具体例では、内部空洞１０９は、絶縁発泡体（ポリウレタン発泡体）など、上で説明されたような絶縁材料で部分的に充填できる。内部空洞１０９を部分的に充填することは、内部空洞１０９が、少なくとも約５０％充填、少なくとも約８０％充填、少なくとも約８５％充填、少なくとも約９０％充填、少なくとも約９５％充填、少なくとも約９７％が充填、少なくとも約９９％充填、少なくとも約９９．７％充填、又は、少なくとも約９９．９％充填され得るように、絶縁発泡体を注入、そうでなければ提供することを指すことができ、充填パーセンテージは、内部空洞１０９の体積で除算した絶縁材料及び任意の第２の絶縁材料のバルク形態での体積全体を意味する。
【００２３】
図８〜９に示されるように、例示的なボウル１００は、ボウル１００が面上に置かれたときに生じる音の量を減衰させるように構成された外側本体１０７又は内側本体１０５を含むことができる。１つの具体例では、例えば、ゴム、プラスチック、金属又は他の材料１１０の重量構成要素は、上側リム１０４の上など、外側本体１０７の一部又は内側本体１０５の一部の上に含めることができる。他の具体例では、外側本体１０７全体は、ボウル１００が面上に置かれたときに音を減衰させるための材料１１０を含むことができる。更に他の具体例では、ゴム、プラスチック、金属又は他の材料は、ボウル１００が面上に置かれたときに音を減衰させるために内部空洞１０９の内部に含めることができる。他の具体例では、足１０３は、ボウル１００が面上に置かれたときに音を減衰させるための追加の材料又は構成要素で作製する及び／又はそれらを含むことができる。
【００２４】
その上、材料又は構成要素１１０は、ボウル１００が面上に置かれたときに音を減衰させるのを補助するために、外側本体１０７、内側本体１０５、又は内部空洞１０９の内側に接着、取り外し可能に締結、又は溶接できる。重量又は音響減衰材料を内部空洞１０９に含むケースでは、重量構成要素又は材料は、特定の場合には摂氏５００度より高くなる可能性がある真空化チャンバの熱に耐えるように構成できる。しかしながら、減衰目的のために外側本体１０７の外側又は内側本体１０５の外側に置かれる重量構成要素又は材料は、真空化チャンバの熱に耐えるように構成される必要がなく、その理由は、材料が真空の形成後に追加できるからである。他の具体例では、材料１１０は、液体塗料又は粉体塗装である。特定の具体例では、材料１１０は、ＨＡＡポリエステルタイプの粉体塗装である。粉体塗装は、熱可塑性ポリマー又は熱硬化性ポリマーにできる。別の具体例では、図８に示されるように、ボウル１００は、外側本体１０７の上部にバンド１２０を更に含むことができる。他の具体例では、バンド１２０は、ステンレス鋼であり、また、材料１１０の上、例えば、粉体塗装又は塗料である。別の具体例では、バンドは、高さが少なくとも１２ｍｍである。他の具体例では、バンド１２０は、高さが約１０ｍｍから約１５ｍｍである。更に他の具体例では、材料１１０は、約０．０６３５ｍｍ（０．００２５インチ）から約０．０８８９ｍｍ（０．００３５インチ）の厚さを有するコーティングである。他の具体例では、材料１１０は、約０．０２５４ｍｍ（０．００１０インチ）から約０．１２７ｍｍ（０．００５０インチ）の厚さを有するコーティングである。
【００２５】
他の音響減衰技術が、企図される。例えば、内側本体１０５又は外側本体１０７は、リップル形状を具備でき、或いは、様々な起伏を具備でき、その目的は、ボウル１００が面上に配置されているときに減衰を提供することである。更に別の具体例では、複数の押下部又はディボットは、外側本体１０７に設けることができ、各押下部又はディボットは、樹脂を充填でき、ボウル１００が固体面上に置かれたときに追加の音響減衰を提供する。
【００２６】
別の具体例では、図１０の側面及び部分断面図に示されるように、ボウル内側本体１０５は、外側本体１０７の厚さ又は「壁」厚さよりも小さい厚さ又は「壁」厚さを有する。外側本体１０７の厚さは、ボウル１００が面上に置かれたときに音を減衰させるのを補助するために、内側本体１０５の厚さよりも大きくすることができる。他の具体例では、内側本体１０５は、外側本体１０７の厚さよりも大きい厚さを有する。更に他の具体例では、内側本体１０５は、外側本体１０７の厚さに等しい厚さを有する。特定の具体例では、内側本体１０５及び／又は外側本体１０７の壁厚さは、略０．５ｍｍから０．７５ｍｍ、０．８ｍｍから１．１ｍｍにすることができる。１つの特有の具体例では、内側本体１０５壁厚さは、略０．７ｍｍにすることができ、外側本体１０７壁厚さは、略０．９ｍｍから１．１ｍｍ又はそれより大きくすることができる。したがって、特定の具体例では、外側本体１０７壁厚さは、内側本体１０５壁厚さの２倍の厚さにすることができる。更に他の具体例では、外側本体１０７壁及び／又は内側本体１０５壁厚さは、０．５ｍｍ、０．５５ｍｍ、０．６０ｍｍ、０．６５ｍｍ、０．７０ｍｍ、０．７５ｍｍ、０．８０ｍｍ、０．８５ｍｍ、０．９０ｍｍ、０．９５ｍｍ、１．０ｍｍ、１．０５ｍｍ、１．１０ｍｍ、１．１５ｍｍ、１．２０ｍｍ、１．２５ｍｍ、１．３０ｍｍ、１．３５ｍｍ、１．４０ｍｍ、１．４５ｍｍ、又は、１．５０ｍｍにすることができる。
【００２７】
その上、内側本体１０７及び外側本体１０５の厚さは、任意の寸法値で具体化でき、これらの開示の範囲から逸脱しない。また、ボウル１００の内側本体１０７及び外側本体１０５のうちの１つ又は複数の面は、セラミック面、銀張り面、銅メッキ、或いは、放射による熱伝達を低減するように構成されたアルミ薄箔によるカバーを含むことができる。同じく企図されるのは、ボウル１００が、食物や水のこぼれを防止するための蓋（図示せず）、或いは、ボウル１００の内部に溜められた液体や固体への又はそこからの熱伝達を防止するための絶縁蓋を含むことができるということである。そういった蓋は、本明細書で説明される技術を用いて絶縁することもできる。更に、蓋は、ゴム、プラスチック、又は他のポリマー、ステンレス鋼、又は他の金属、或いは、それらの組合せから形成できる。
【００２８】
特定の具体例では、ボウル１００は、１つ又は複数の金属、合金、ポリマー、セラミック、又は繊維強化材料から構築できる。追加的に、ボウル１００は、１つ又は複数の熱間又は冷間の加工工程（数ある中でも、例えば、スタンピング、鋳造、造形、穿孔、研削、鍛造）を用いて構築できる。例えば、内側本体１０５及び外側本体１０７は、単一の材料シートとして個別に形成し、適切な形状にミーリングし、シーム１０８で一括溶接できる。シームは、溶接部が使用者に見えないように、研磨できる。１つの実例では、ボウル１００は、ステンレス鋼を用いて構築できる。１つの特有の具体例では、ボウル１００は、実質上、３０４ステンレス鋼で形成できる。別の実例では、ボウル１００は、チタンやチタン合金を用いて構築できる。
【００２９】
１つの具体例では、図１１のボウルの部分拡大断面図に示されるように、足１０３は、ボウルの底部１０２の周囲まわりに延びる溝１０３ｂの中に押下又は凹設される。別の具体例では、足１０３は、溝１０３ｂの中に摩擦嵌合する。他の具体例では、足１０３は、接着剤によって溝１０３ｂに連結される。溝１０３ｂは、更にブラケット１１１を含むことができる。１つの具体例では、ブラケット１１１は、溝１０３ｂの上部に溶接される。これは、例えば、レーザ溶接、ろう付け工程、アーク溶接、又は銀はんだ付けなどの任意の適切な溶接方法によって達成できる。別の具体例では、ブラケット１１１は、接着剤或いはねじやリベットなどの他の機械式デバイスによって溝１０３ｂに連結される。足１０３は、ブラケット１１１に連結又は噛合できる。
【００３０】
１つの具体例では、図１１に示されるように、足１０３は、ブラケット１１１と互換性があるか又は噛合する様式で形状付けできる。例えば、足１０３の底部は、平らな面１１４にできる。足１０３の他方側は、２つの湾曲端部１１５と、隙間１１７によって分離された足の中間の２重リッジ１１６と、を含むことができる。それに応じて、ブラケット１１１は、足１０３の湾曲端部１１５にクランプするか又は噛合する２つの湾曲端部１１３を含むことができる。更に、ブラケット１１１は、２つの湾曲端部１１３の間に中心隙間１１２を含むことができる。同じく図１１に示されるように、足１０３の２重リッジ１１６は、ブラケット１１１の中心隙間１１２と噛合するように構成される。その結果、足１０３は、ブラケット１１１に、斯くして、ボウル１００の底部１０２に固定される。
【００３１】
特定の具体例では、図１２に示されるように、足１０３は、連続的なリングである単一ユニットとして構築できる。他の具体例では、足１０３は、連結されていない第１の端部及び第２の端部を有する。図１２に示されるように、足１０３は、ボウル１００の溝１０３ｂの内部に緊密に嵌合できる。１つの具体例では、摩擦は、溝１０３ｂ内の足１０３の位置を維持する。別の具体例では、足１０３は、摩擦嵌合に加えて溝１０３ｂへの連結用に追加の強度を提供するために接着剤を更に含む。幾つかの具体例では、足１０３の平らな底部１１４は、ボウル１００の底部１０２と面一である。他の具体例では、足１０３の平らな底部１１４は、ボウル１００の底部１０２を過ぎて延びる、即ち、足１０３は、溝１０３ｂに僅かに部分的に凹設される。部分的に凹設された溝１０３は、ボウル底部１０２を面の上方に少しばかり上昇させ、ボウル１００を容易につかめるように、底部１０２の下に個人が彼らの指を配置するのを可能にする。したがって、ボウル１００は、内容物をこぼすことなく、搬送や移動のために容易に持ち上げることができる。幾つかの具体例では、更に図１２に示されるように、足１０３及び溝１０３ｂの構成は、平らな面付き足１０３を溝１０３ｂ及びボウル１００に固定するための追加のハードウェアの必要性を伴わない、シールされたボウル１００を提供する。更に他の具体例では、図１３に示されるように、溝１０３ｂは、ボウル１００の底部１０２の溝１０３ｂの中に穿孔又はスタンピングされた複数のブングホール（ｂｕｎｇｈｏｌｅｓ）１１８を含む。そういうことで、足１０３は、ブングホール１１８と噛合する複数のブング１１９を備えて構築される。足１０３は、ブング１１９がブングホール１１８の中にスナップ嵌めされたときに、溝１０３ｂに固定される。この構成は、幾つかの具体例では、足１０３をボウル１００に固定するための接着剤又は他の手段の使用を必要としない。他の具体例では、足１０３は、溝１０３ｂから取り外し可能であり、交換可能である。
【００３２】
特有の具体例では、ボウルは、外側本体を含むことができ、外側本体は、Ｕ形状断面を有し、外側本体は、ボウルを面上で支持するように構成された底部を有することができる。底部は、底部の周囲まわりの円形溝と、円形溝の内側のブラケットと、を含むことができる。足は、溝の内部に挿入でき、足は、ブラケットによって円形溝に固定できる。ボウルは、凹状及びドーム形状である内側本体を含むこともできる。内側本体は、液体や固体を保持するように構成でき、また、外側本体の上側縁部に連結できる。ボウルは、外側本体及び内側本体によって形成された内部空洞を含むこともできる。内側空洞は、絶縁性にできる。外側本体の上側縁部と内側本体のリップとによって形成される連結部は、シームレスにできる。外側本体の上側縁部は、内側本体のリップに溶接できる。外側本体は、ステンレス鋼、アルミニウム、アルミニウム合金、チタン、チタン合金、又はポリマーで構築でき、内側本体は、ステンレス鋼、アルミニウム、アルミニウム合金、チタン、チタン合金、又はポリマーで構築できる。ボウル外側本体又はボウル内側本体は、消音材料を含むこともできる。ボウルの足は、ゴム又は他のポリマーで構築できる。ボウルは、ボウルが別のボウルと積み重ね可能であるのを可能にするような形状にできる。ボウルの外側本体は、粉体塗装でコーティングできる。ボウルの内部空洞は、絶縁材料を含むこともできる。ボウルは、第１の厚さを有する外側本体を有することができ、内側本体は、第２の厚さを有し、したがって、第１の厚さは、第２の厚さよりも大きい。ボウルは、約２．２２対１である、ボウルの高さに対するボウルの直径の比を含むことができる。ボウルは、ボウルの底部の円形溝に溶接されるブラケットを含むこともできる。
【００３３】
ボウルを形成する方法は、Ｕ形状断面を有するボウルの外側本体を形成することを含むことができる。外側本体は、ボウルを面上に支持するように構成された底部を有するように形成できる。円形溝は、ボウルの底部に形成でき、底部の周囲に沿って延びる。ブラケットは、円形溝の内部にも形成でき、ゴム足は、溝の内部に挿入できる。足は、ボウルの底部に溶接されるブラケットによって、円形溝にも固定できる。凹状及びドーム形状であり、液体や固体を保持するように構成される内側本体を形成できる。内側本体は、外側本体の上部に形成された上側縁部に溶接できるリップを更に含むように形成できる。外側本体の上側縁部と内側本体リップとの間に形成された連結部は、目に見えるシームなしに形成できる。内部空洞は、外側本体及び内側本体によって形成でき、内部空洞は、絶縁性にできる。ボウルは、約２．２２対１である、ボウルの高さに対するボウルの直径の比を備えて形成できる。ボウル外側本体は、ステンレス鋼で構築でき、ボウル内側本体は、ステンレス鋼で構築できる。ボウルの内側本体は、内側本体の上部にリップを備えて形成でき、リップは、外側本体の上部に形成された上側縁部に溶接できる。リップ及び上側縁部間の連結部は、シームレスにできる。ボウル外側本体は、ステンレス鋼、アルミニウム、アルミニウム合金、チタン、チタン合金、又はポリマーで構築でき、ボウル内側本体は、ステンレス鋼、アルミニウム、アルミニウム合金、チタン、チタン合金、又はポリマーで構築できる。ボウルは、第１の厚さを有する外側本体と、第２の厚さを有する内側本体と、を備えて形成できる。外側ボウル第１の厚さは、内側ボウル第２の厚さよりも大きくできる。ボウルは、約２．２２対１である、ボウルの高さに対するボウルの直径の比を備えて形成できる。ボウルの足は、ゴム又は他のポリマーで構築できる。ボウルは、ボウルの底部の円形溝に溶接されたブラケットを備えて形成することもできる。
【００３４】
本開示は、上記及び添付図面において様々な具体例を参照して開示されている。しかしながら、本開示の果たす目的は、本開示に関係する様々な特徴や概念の具体例を提供することであり、本開示の範囲を限定しない。当業者は、本開示の範囲から逸脱せずに多くの変形や変更を上で説明された具体例に対して行うことができるということを認識するであろう。
【図１】
2022500065.tif 000003
【図２】
2022500065.tif 000004
【図３】
2022500065.tif 000005
【図４】
2022500065.tif 000006
【図５】
2022500065.tif 000007
【図６】
2022500065.tif 000008
【図７】
2022500065.tif 000009
【図８】
2022500065.tif 000010
【図９】
2022500065.tif 000011
【図１０】
2022500065.tif 000012
【図１１】
2022500065.tif 000013
【図１２】
2022500065.tif 000014
【図１３】
2022500065.tif 000015
【手続補正書】
【提出日】令和3年3月30日(2021.3.30)
【手続補正１】
【補正対象書類名】特許請求の範囲
【補正対象項目名】全文
【補正方法】変更
【補正の内容】
【特許請求の範囲】
【請求項１】
ボウルであって、該ボウルが、
ボウルの外側本体であって、前記外側本体がＵ形状断面を有し、前記外側本体が前記ボウルを面上に支持するように構成された底部を有し、前記底部が前記底部の周囲まわりの円形溝と前記円形溝の内部のブラケットとを有し、足が前記溝の内部に挿入され、前記足が前記ブラケットによって前記円形溝に固定される、前記外側本体と、
前記ボウルの内側本体であって、前記内側本体が凹状のドーム形状であり、前記内側本体が液体又は固体を保持するように構成され、前記内側本体が前記外側本体の上側縁部に連結され、前記外側本体の前記上側縁部と前記内側本体のリップとによって形成される連結部がシームレスであり、前記外側本体の前記上側縁部は、前記内側本体の前記リップに溶接されている、前記内側本体と、
内部空洞であって、前記内部空洞が前記外側本体と前記内側本体によって形成され、前記内部空洞が絶縁性である、前記内部空洞と
を備えるボウル。
【請求項２】
前記外側本体は、ステンレス鋼、アルミニウム、アルミニウム合金、チタン、チタン合金、又はポリマーであり、前記内側本体は、ステンレス鋼、アルミニウム、アルミニウム合金、チタン、チタン合金、又はポリマーである、請求項１に記載のボウル。
【請求項３】
前記外側本体又は前記内側本体は、消音材料を更に含む、請求項１に記載のボウル。
【請求項４】
前記足は、ゴム又は他のポリマーを含む、請求項１に記載のボウル。
【請求項５】
前記ボウルは、別のボウルと積み重ね可能になっている、請求項１に記載のボウル。
【請求項６】
粉体塗装を更に含む、請求項１に記載のボウル。
【請求項７】
前記内部空洞は、絶縁材料を更に含む、請求項１に記載のボウル。
【請求項８】
前記外側本体は、第１の厚さを有し、前記内側本体は、第２の厚さを有し、前記第１の厚さは、前記第２の厚さよりも大きい、請求項１に記載のボウル。
【請求項９】
前記ボウルの高さに対する前記ボウルの直径の比は、約２．２２対１である、請求項１に記載のボウル。
【請求項１０】
前記ブラケットは、前記円形溝に溶接される、請求項１に記載のボウル。
【請求項１１】
ボウルを形成する方法であって、
ボウルの外側本体を形成する段階であって、前記外側本体がＵ形状断面を有し、前記外側本体が前記ボウルを面上に支持するように構成された底部を有し、前記底部が前記底部の周囲まわりの円形溝と前記円形溝の内部のブラケットとを備え、足が前記溝の内部に挿入され、前記足が前記ブラケットによって前記円形溝に固定される、前記外側本体を形成する段階と、
前記ボウルの内側本体を形成する段階であって、前記内側本体が凹状のドーム形状であり、前記内側本体が液体又は固体を保持するように構成され、前記内側本体が前記外側本体の上側縁部に連結され、前記内側本体はリップを更に含み、前記内側本体のリップは、前記外側本体の上側縁部に溶接され、シームレス連結部が、前記外側本体の前記上側縁部と前記内側本体の前記リップとの間に形成される、前記内側本体を形成する段階と、
内部空洞を形成することであって、前記内部空洞が前記外側本体と前記内側本体によって形成され、前記内部空洞が絶縁性である、前記内部空洞を形成する段階と
を含むボウルを形成する方法。
【請求項１２】
前記外側本体は、ステンレス鋼、アルミニウム、アルミニウム合金、チタン、チタン合金、又はポリマーであり、前記内側本体は、ステンレス鋼、アルミニウム、アルミニウム合金、チタン、チタン合金、又はポリマーである、請求項１１に記載の方法。
【請求項１３】
前記足は、ゴム又は他のポリマーを含む、請求項１１に記載の方法。
【請求項１４】
前記ブラケットは、前記円形溝に溶接される、請求項１１に記載の方法。
【請求項１５】
前記内部空洞を真空にする段階を更に含む、請求項１１に記載の方法。
【国際調査報告】
2022500065.tif 000016
2022500065.tif 000017
2022500065.tif 000018